(57)【要約】【課題】トーチバーナを竹竿などの柄に簡単に着脱できる害虫駆除用トーチバーナホルダを提案すること。【解決手段】害虫駆除用トーチバーナホルダ１は、細長い柄３を取り外し可能な状態で取り付けるための柄固定部５と、トーチバーナ２のガス容器２ａを取り外し可能な状態で固定するためのガス容器固定部１０とを有している。柄固定部５は、捻りばね９ａ、９ｂによって柄押さえ部７と矩形板６の間に柄３を挟み込み、ガス容器固定部１０は、ガス容器２ａを装着するために強制的に押し広げたガス容器押さえ部１３の弾性復帰力によってガス容器２ａを固定している。【選択図】図２
0003114149.tif 000002
【実用新案登録請求の範囲】
【請求項１】
柄を取り外し可能な状態で固定するための柄固定部と、
トーチバーナのガス容器を取り外し可能な状態で固定するためのガス容器固定部とを有していることを特徴とする害虫駆除用トーチバーナホルダ。
【請求項２】
請求項１において、
前記柄固定部は、ばね部材によって、あるいは、前記柄を取り付けるために強制的に弾性変形させられたことにより発生する自身の弾性復帰力によって、前記柄を固定するようになっていることを特徴とする害虫駆除用トーチバーナホルダ。
【請求項３】
請求項１において、
前記柄固定部は、
金属製あるいはプラスチック製の板部材と、
前記板部材に対して開閉可能な状態で取り付けられた柄押さえ部材と、
この柄押さえ部材を閉じ方向に向けて常に付勢している捻りばねなどの付勢部材とを備えており、
前記板部材と前記柄押さえ部材の間に前記柄が挟持されることを特徴とする害虫駆除用トーチバーナホルダ。
【請求項４】
請求項３において、
前記柄押さえ部材は所定太さの針金を折り曲げ加工して形成した矩形枠であり、
当該矩形枠の一部が、前記板部材に形成した軸穴に回転自在の状態で支持されており、
前記付勢部材は、当該軸穴内に装着された捻りばねなどのばね部材であることを特徴とする害虫駆除用トーチバーナホルダ。
【請求項５】
請求項１において、
前記ガス容器固定部は、ばね部材によって、あるいは、前記ガス容器を取り付けるために強制的に弾性変形させられたことにより発生する自身の弾性復帰力によって、前記ガス容器を固定するようになっていることを特徴とする害虫駆除用トーチバーナホルダ。
【請求項６】
請求項１において、
前記ガス容器固定部は、
前記ガス容器の底を支持するための底支持部と、
前記ガス容器の外周側面部分を支持する側面支持部と、
前記側面支持部に対して一定の間隔で対峙している容器押さえ部とを備えており、
当該容器押さえ部を強制的に押し広げると、当該容器押さえ部と前記側面支持部の間に前記ガス容器を装着可能であり、当該容器押さえ部の弾性復帰力によって前記ガス容器が前記側面支持部に向けて押し付けられるようになっていることを特徴とする害虫駆除用トーチバーナホルダ。
【請求項７】
請求項６において、
前記底支持部、前記側面支持部および前記容器押さえ部は、所定太さの針金を折り曲げ加工して形成されていることを特徴とする害虫駆除用トーチバーナホルダ。
【請求項８】
請求項７において、
前記側面支持部は、一定間隔で平行に延びる左右の垂直針金部分によって規定されており、
前記底支持部は、前記左右の垂直針金部分の下端から直角に折れ曲がって前方に延びる左右の水平針金部分によって規定されており、
前記容器押さえ部は、前記左右の水平針金部分の前端から折れ曲がって、上方に向かって左右に広がると共に後方に傾斜する方向に延びている左右の傾斜針金部分と、これら左右の傾斜針金部分の上端に連続している前方に円弧状に突出している円弧状針金部分とによって規定されていることを特徴とする害虫駆除用トーチバーナホルダ。
【請求項９】
請求項８において、
前記左右の垂直針金部分の上端には前方にほぼ直角に折れ曲がったフックが形成されており、
これら左右のフックは、装着された前記ガス容器の上端部分に上側から係合して、当該ガス容器が上方に抜け出ることを阻止可能となっていることを特徴とする害虫駆除用トーチバーナホルダ。
【請求項１０】
請求項８または９において、
前記左右の垂直針金部分は、前記柄固定部の前記板部材に固定されていることを特徴とする害虫駆除用トーチバーナホルダ。
【請求項１１】
請求項１ないし１０のいずれかに記載の害虫駆除用トーチバーナホルダと、前記柄とを有していることを特徴とする害虫駆除用トーチバーナのホルダセット。
【考案の詳細な説明】
【技術分野】
【０００１】
本考案は、市販のバーベキュー炭着火用トーチなどの家庭用カセットトーチバーナを用いて手の届かない樹木に発生した害虫などを駆除する場合などに用いるのに適した害虫駆除用トーチバーナホルダに関するものである。
【背景技術】
【０００２】
樹木に発生した害虫、例えばアメリカシロヒトリの幼虫を駆除するためには、害虫が発生した箇所を市販のバーベキュー炭着火用トーチなどの家庭用カセットトーチバーナ（以下、単に「トーチバーナ」と呼ぶ。）で焼くことが効果的である。しかし、手の届かない樹木などの高い所に発生した害虫をトーチバーナを用いて駆除するためには、脚立などを使用する必要がある。
【考案の開示】
【考案が解決しようとする課題】
【０００３】
脚立などの台を用いる場合には、一回に駆除できる範囲が制限されてしまうので、繰り返し台を移動させて駆除作業を行う必要がある。また、傾斜地や沼地の場合には足場が不安定になってしまう。したがって、脚立などの台を用いた駆除作業は作業効率が悪い。
【０００４】
そこで、竹竿の先などにトーチバーナを取り付けて、地上から高い場所にトーチバーナが届くようにすれば、地上にいながら高い場所にいる害虫を駆除できる。しかしながら、害虫駆除の度に、トーチバーナを粘着テープなどで竹竿に取り付ける必要があるので、非常に面倒である。
【０００５】
本考案の課題は、このような点に鑑みて、トーチバーナを竹竿などの柄に対して簡単に着脱できる害虫駆除用トーチバーナホルダを提案することにある。
【課題を解決するための手段】
【０００６】
上記の課題を解決するために、本考案の害虫駆除用トーチバーナホルダは、
柄を取り外し可能な状態で固定するための柄固定部と、
トーチバーナのガス容器を取り外し可能な状態で固定するためのガス容器固定部とを有していることを特徴としている。
【０００７】
本考案において、前記柄固定部は、ばね部材によって、あるいは、前記柄を取り付けるために強制的に弾性変形させられたことにより発生する自身の弾性復帰力によって、前記柄を固定するようになっていることを特徴としている。
【０００８】
また、本考案において、前記柄固定部は、金属製あるいはプラスチック製の板部材と、前記板部材に対して開閉可能な状態で取り付けられた柄押さえ部材と、この柄押さえ部材を閉じ方向に向けて常に付勢している捻りばねなどの付勢部材とを備えており、前記板部材と前記柄押さえ部材の間に前記柄が挟持されることを特徴としている。
【０００９】
この場合、前記柄押さえ部材を所定太さの針金を折り曲げ加工して形成した矩形枠とし、当該矩形枠の一部を、前記板部材に形成した軸穴に回転自在の状態で支持し、前記付勢部材として、当該軸穴内に装着された捻りばねなどのばね部材を用いることができる。
【００１０】
次に、本考案において、前記容器固定部は、ばね部材によって、あるいは、前記ガス容器を取り付けるために強制的に弾性変形させられたことにより発生する自身の弾性復帰力によって、前記ガス容器を固定するようになっていることを特徴としている。
【００１１】
また、本考案において、前記ガス容器固定部は、前記ガス容器の底を支持するための底支持部と、前記ガス容器の外周側面部分を支持する側面支持部と、前記側面支持部に対して一定の間隔で対峙している容器押さえ部とを備えており、当該容器押さえ部を強制的に押し広げると、当該容器押さえ部と前記側面支持部の間に前記ガス容器を装着可能であり、当該容器押さえ部の弾性復帰力によって前記ガス容器が前記側面支持部に向けて押し付けられるようになっていることを特徴としている。
【００１２】
この場合、前記底支持部、前記側面支持部および前記容器押さえ部を、所定太さの針金を折り曲げ加工して形成したものとすることができる。
【００１３】
例えば、前記側面支持部を、一定間隔で平行に延びる左右の垂直針金部分によって規定し、前記底支持部を、前記左右の垂直針金部分の下端から直角に折れ曲がって前方に延びる左右の水平針金部分によって規定し、前記容器押さえ部を、前記左右の水平針金部分の前端から折れ曲がって、上方に向かって左右に広がると共に後方に傾斜する方向に延びている左右の傾斜針金部分と、これら左右の傾斜針金部分の上端に連続している前方に円弧状に突出している円弧状針金部分とによって規定することができる。
【００１４】
この場合には、前記左右の垂直針金部分の上端には前方にほぼ直角に折れ曲がったフックを形成し、これら左右のフックを、装着された前記ガス容器の上端部分に上側から係合させることにより、当該ガス容器が上方に抜け出ることを阻止することが望ましい。
【００１５】
また、前記左右の垂直針金部分は、前記柄固定部の前記板部材に固定しておけばよい。
【００１６】
一方、本考案の害虫駆除用トーチバーナのホルダセットは、上記構成の害虫駆除用トーチバーナホルダと、前記柄とを有していることを特徴としている。
【考案の効果】
【００１７】
本考案のトーチバーナホルダを用いれば、トーチバーナを簡単に柄に取り付けることができる。よって、樹木における手の届かない高い所などに発生した害虫の駆除を効率良く行うことができる。また、簡単にトーチバーナを柄から取り外すことができるので、手の届く場所での駆除作業への移行、駆除作業終了後の片付けなども効率良く簡単に行うことができる。
【考案を実施するための最良の形態】
【００１８】
以下に、図面を参照して、本考案を適用したトーチバーナホルダの一例を説明する。
【００１９】
図１は、本例のトーチバーナホルダを用いて樹木の高い所で発生している害虫の駆除作業を行っている様子を示す説明図である。この図において、１は本例のトーチバーナホルダであり、このトーチバーナホルダ１にはトーチバーナ２が取り付けられており、この状態でトーチバーナホルダ１は細長い柄３の先端に取り付けられている。柄３の下端を持って、火の付いたトーチバーナ２を害虫が発生している樹木４における手の届かない高い所に向けて、害虫駆除を行う。トーチバーナ２は、円筒状のガス容器２ａと、このガス容器２ａの上端に取り付けた火口導管２ｂと、この火口導管２ｂの先端に取り付けた円筒状の火口２ｃを備えている。
【００２０】
図２(ａ)および(ｂ)は、トーチホルダの斜視図および当該トーチバーナホルダにトーチバーナと柄が取り付けられた状態の斜視図である。トーチバーナホルダ１は、細長い柄３を取り外し可能な状態で固定するための柄固定部５と、トーチバーナ２のガス容器２ａを取り外し可能な状態で固定するためのガス容器固定部１０とを有している。
【００２１】
柄固定部５は、縦長のステンレススチール製の矩形板６と、この矩形板６に柄３を押さえ付けて固定するための柄押さえ部７とを備えている。矩形板６の一方の側縁部分には軸穴６ａが形成されている。
【００２２】
柄押さえ部７は所定太さの針金を矩形枠状に折り曲げ加工することにより形成されたものであり、軸穴６ａに上側および下側から回転可能な状態で差し込まれている上下の旋回軸部分７ａ、７ｂと、これらの上下の端から直角に折れ曲がって延びる上下の枠部分７ｃ、７ｄと、これらの枠部分７ｃ、７ｄの先端を繋ぐ縦枠部分７ｅとを備えている。上下の枠部分７ｃ、７ｄは、それらの中央部分が矩形板６から離れる方向に突出した山形状あるいは円弧状をしている。縦枠部分７ｅの上下方向の中ほどの部位には、矩形枠６から離れる方向に突出させた形状の摘み部分７ｆが形成されている。
【００２３】
軸穴６ａに差し込まれている旋回軸部分７ａ、７ｂには、それぞれ捻りばね９ａ、９ｂが装着されており、これらのばね力によって、柄押さえ部７は常に矩形板６に向けて押し付けられている。柄押さえ部７の摘み部分７ｆを持って、これらのばね力に逆らって柄押さえ部７を矩形板６から離れる方向に押すと、柄押さえ部７が旋回軸部分７ａ、７ｂを中心として開く。当該柄押さえ部７と矩形板６の間に柄３の先を差し込み、その状態で柄押さえ部７から手を離すと、ばね力によって、これらの間に柄３の先端が挟み込まれ、固定される。この結果、トーチバーナホルダ１を柄３の先端に取り付けることができる。
【００２４】
次に、本例のガス容器固定部１０は、柄押さえ部７と同様に、１本の所定太さの針金を折り曲げ加工することにより形成されており、ガス容器２ａの底を支持するための底支持部１１と、当該ガス容器２ａの外周側面部分を支持する側面支持部１２と、ガス容器押さえ部１３を備えている。
【００２５】
すなわち、側面支持部１１は、柄取り付け用の矩形板６の両端縁に溶接などによって固定されている一定間隔で平行に延びる左右の垂直針金部分１０ａ、１０ｂによって規定されている。左右の垂直針金部分１０ａ、１０ｂの下端からは、直角に折れ曲がって前方に延びる左右の水平針金部分１０ｃ、１０ｄが連続しており、これらによって、底支持部１２が規定されている。これら左右の水平針金部分１０ｃ、１０ｄの前端には、それらから折れ曲がって、上方に向かって左右に広がると共に後方に傾斜する方向に延びている左右の傾斜針金部分１０ｅ、１０ｆが連続している。これら左右の傾斜針金部分１０ｅ、１０ｆの上端は、前方に円弧状に突出している円弧状針金部分１０ｇによって繋がっている。これら左右の傾斜針金部分１０ｅ、１０ｆと、円弧状針金部分１０ｇとによって、ガス容器押さえ部１３が規定されている。
【００２６】
左右の垂直針金部分１０ａ、１０ｂと、円弧状針金部分１０ｇとの間はガス容器２ａよりも狭い間隔に設定されている。当該円弧状針金部分１０ｇを強制的に押し広げることにより、当該円弧状針金部分１０ｇと垂直針金部分１０ａ、１０ｂとの間に、ガス容器２ａを上方から装着することができる。ガス容器２ａを装着した後に、円弧状針金部分１０ｇを開放すると、それ自身の弾性復帰力(特に、左右の傾斜針金部分１０ｅ、１０ｆの弾性復帰力)によってガス容器２ａが固定された状態になる。
【００２７】
ここで、左右の垂直針金部分１０ａ、１０ｂの上端には、前方にほぼ直角に折れ曲がったフック１０ｈ、１０ｉが形成されている。ガス容器２ａが装着された状態では、これら左右のフック１０ｈ、１０ｉが装着されたガス容器２ａの上端側のショルダ部分２ｄに上側から係合可能となっている。したがって、これらのフックとの機械的な係合によって、ガス容器２ａが上方に抜け出ることが阻止され、ガス容器２ａが確実にホルダに固定されることになる。
【００２８】
(その他の実施の形態)
上記の例では、柄固定部５に金属製の矩形板６を用いているが、この部分を、図３に示すような構造としてもよい。この図に示す柄固定部５Ａは、柄固定側の部材２１と、この背面に積層固定されたガス容器固定側の部材２２から構成されている。
【００２９】
柄固定側の部材２１は、その表面に柄取り付け用の湾曲面２１ａが形成されており、一方の端には、柄押さえ部７の旋回軸部分７ａ、７ｂを軸支している軸穴２１ｂが形成されている。さらに、その背面の左右の縁部分には半円形の溝２１ｃ、２１ｄが形成されている。他方のガス容器固定側の部材２２は、その表面にガス容器取り付け用の湾曲面２２ａが形成されており、その背面の左右の縁部分には半円形の溝２２ｃ、２２ｄが形成されている。双方の部材２１、２２を積層すると、これらの間に、ガス容器固定部１０における左右の垂直針金部分１０ａ、１０ｂが装着固定される装着穴２３ａ、２３ｂが形成される。この構造の部材２１、２２は金属製であってもよいし、プラスチック成形品とすることもできる。
【００３０】
次に、上記の例の柄固定部５では、捻りばね９ａ、９ｂを用いて、柄３を固定するための固定力を発生させるようにしているが、構成部材自体の弾性復帰力を利用して、このような固定力を発生させるようにしてもよい。また、上記の例のガス容器固定部１０では、部材自体の弾性復帰力を利用してトーチバーナ２のガス容器２ａを固定しているが、捻りばねなどのばね部材を用いてこのような固定力を発生させるようにしてもよい。
【図面の簡単な説明】
【００３１】
【図１】本考案を適用したトーチバーナホルダを用いて樹木の高い所の害虫を駆除している様子の説明図である。
【図２】(ａ)および(ｂ)は、図１のトーチバーナホルダの斜視図および当該トーチバーナホルダにトーチバーナと竹竿を取り付けた状態の斜視図である。
【図３】本考案のトーチバーナホルダの柄固定部の変形例を示す説明図である。
【符号の説明】
【００３２】
１  トーチバーナホルダ
２  トーチバーナ
２ａ  ガス容器
３  柄
５  柄固定部
６  矩形板
７  柄押さえ部
９ａ、９ｂ  捻りばね
１０  ガス容器固定部
１０ｈ、１０ｉ  フック
１１  底支持部
１２  側面支持部
１３  ガス容器押さえ部
【図１】
0003114149.tif 000003
【図２】
0003114149.tif 000004
【図３】
0003114149.tif 000005